(57)【要約】【課題】ガードケーブルの任意の箇所に反射体を取り付けることができるガードケーブルへの反射体取付構造及び反射体取付用金具を提供する。【解決手段】反射体取付部１１に反射体２が取り付けられた反射体取付用金具１がガードケーブル２０の索条３に、本体１２と一体に設けられた包持部１３に締結手段Ｔが緊結されて取り付けられていることで、反射体２をガードケーブル２０の支柱２０１のある箇所に限定されず任意の箇所に取り付けることができる。【選択図】        図１
2008180022.tif 000002
【特許請求の範囲】
【請求項１】
反射体取付用金具に備えられた反射体取付部に再帰反射性を有する反射体が設けられ、該反射体取付用金具がガードケーブルの索条に取り付けられていることを特徴とするガードケーブルへの反射体取付構造。
【請求項２】
前記反射体取付用金具は、反射体取付部を備えた第一の反射体取付用金具と、第二の反射体取付用金具とを備え、該第一の反射体取付用金具と第二の反射体取付用金具との間に索条が挟持されていることを特徴とする請求項１に記載のガードケーブルへの反射体取付構造。
【請求項３】
前記反射体取付用金具は、ガードケーブルの索条を把持する把持金具を用いて索条に取り付けられていることを特徴とする請求項１に記載のガードケーブルへの反射体取付構造。
【請求項４】
前記ガードケーブルの索条は、複数段に亘って設けられ、反射体取付用金具が該複数段の索条に亘って取り付けられていることを特徴とする請求項１〜３のいずれかに記載のガードケーブルへの反射体取付構造。
【請求項５】
前記反射体取付部は、索条より車道側に張り出されていることを特徴とする請求項１〜４のいずれかに記載のガードケーブルへの反射体取付構造。
【請求項６】
反射体取付部が設けられると共に該反射体取付部に再帰反射性を有する反射体が設けられ、且つガードケーブルの索条に取付可能となされていることを特徴とする反射体取付用金具。
【発明の詳細な説明】
【技術分野】
【０００１】
本発明は、ガードケーブルに再帰反射性を有する反射体を取り付けた反射体取付構造及びそのための反射体取付用金具に関するものである。
【背景技術】
【０００２】
ガードケーブルに対して、再帰反射性を有する反射体を取り付けた反射体取付構造としては、例えばワーヤーロープ支持金具に横断面コ字状としたチャンネル部材を取り付け、そのチャンネル部材の上部に固着した上端部分に標識取付パイプに反射体を取り付けた道路標識柱が開示されている（例えば特許文献１）。
【０００３】
一方、防護柵に反射体を直接取り付けたものとしては、例えば支柱間に柵体が継手を介して架設され、継手に反射体が取り付けられることで夜間の視認性が高められるようになされた反射体付き柵が開示されている（例えば特許文献２）。
【０００４】
【特許文献１】実願昭６３−１０６８４７号のマイクロフィルム（実開平２−２９９１３号）
【特許文献２】特開２０００−２４８５２３号公報
【発明の開示】
【発明が解決しようとする課題】
【０００５】
しかしながら、特許文献１に記載のような従来の反射体取付構造では、ワイヤーロープ支持金具の設けられた箇所にしか反射体を取り付けられず、急カーブの地点等、間隔を狭めて反射体を取り付けたい場合などには対応できないものであった。また標識取付パイプに反射体が取り付けられているので、道路周辺の振動に曝されると、チャンネル材やそのワイヤーロープ支持金具の取付部付近が金属疲労により破損する恐れもあった。
【０００６】
また特許文献２に記載のような従来の反射体取付構造では、同じく継手のある箇所にしか反射体を取り付けることができず、任意の間隔での反射体の取り付けを行うことができないものであった。また取付部分を継手に対応した形状とする必要があり、形成に係わる作業が繁雑となる恐れもあった。
【０００７】
本発明は上記の如き課題に鑑みてなされたものであり、ガードケーブルの任意の箇所に反射体を取り付けることができるガードケーブルへの反射体取付構造及び反射体取付用金具を提供せんとするものである。
【課題を解決するための手段】
【０００８】
上記目的を達成するため、本発明は以下のような構成としている。すなわち、本発明に係わるガードケーブルへの反射体取付構造は、反射体取付用金具に備えられた反射体取付部に再帰反射性を有する反射体が設けられ、該反射体取付用金具がガードケーブルの索条に取り付けられていることを特徴とするものである。
【０００９】
本発明に係わるガードケーブルへの反射体取付構造によれば、反射体取付部に反射体が取り付けられた反射体取付用金具がガードケーブルの索条に取り付けられていることで、反射体をガードケーブルの支柱のある箇所に限定されず任意の箇所に取り付けることができる。
【００１０】
また前記反射体取付用金具は、反射体取付部を備えた第一の反射体取付用金具と、第二の反射体取付用金具とを備え、該第一の反射体取付用金具と第二の反射体取付用金具との間に索条が挟持されていれば、索条の外径が様々なものであっても簡便に取り付けを行うようにでき好ましい。
【００１１】
また前記反射体取付用金具は、ガードケーブルの索条を把持する把持金具を用いて索条に取り付けられていれば、索条に対する取り付け状態を安定したものとでき好ましい。
【００１２】
また前記ガードケーブルの索条は、複数段に亘って設けられ、反射体取付用金具が該複数段の索条に亘って取り付けられていれば、複数段の索条を挟持することで反射体取付用金具が索条に堅牢に取り付けられるようになされると共に、取付対象が索条であることと相俟って、道路周辺の振動が掛かった際の加速度が緩和されて反射体取付用金具の破損の恐れが小さくなされ好ましい。
【００１３】
また前記反射体取付部は、索条より車道側に張り出されていれば、取り付けられた状態で車両の前照灯からの光が再帰反射されやすくなり、更に視認性を高めるようにでき好ましい。
【００１４】
また本発明に係わる反射体取付用金具は、反射体取付部が設けられると共に該反射体取付部に再帰反射性を有する反射体が設けられ、且つガードケーブルの索条に取付可能となされていることを特徴とするものである。
【００１５】
本発明に係わる反射体取付用金具によれば、反射体取付用金具がガードケーブルの索条に取付可能となされていることで、反射体をガードケーブルの支柱のある箇所に限定されず任意の箇所に取り付けることができる。
【発明の効果】
【００１６】
本発明に係わるガードケーブルへの反射体取付構造によれば、反射体取付部に反射体が取り付けられた反射体取付用金具がガードケーブルの索条に取り付けられていることで、反射体をガードケーブルの支柱のある箇所に限定されず任意の箇所に取り付けることができる。
【００１７】
また本発明に係わる反射体取付用金具によれば、反射体取付用金具がガードケーブルの索条に取付可能となされていることで、反射体をガードケーブルの支柱のある箇所に限定されず任意の箇所に取り付けることができる。
【発明を実施するための最良の形態】
【００１８】
本発明に係わる最良の実施の形態について、図面に基づき以下に具体的に説明する。
【００１９】
図１は、本発明に係わるガードケーブルへの反射体取付構造の、実施の一形態を示す説明図である。再帰反射性を有する反射体２は台形形状のプリズム反射体であり、反射体取付用金具１に備えられた略同形状の反射体取付部１１に両面テープにて貼着されて取り付けられている。反射体取付用金具１は金属板が折り曲げられて形成されたものであり、金具本体１２の上方にコ字状の包持部１３と、下方にＬ字状の回り止め部１４が設けられ、反射体取付部１１は金具本体１２に対して平面視直交するように設けられている。反射体取付部１１の先端は更に略直角に折り曲げられてリブ部１１１が形成されて上下方向における曲げ強度が高められている。ガードケーブル２０は、適宜間隔をおいて地表から立設された支柱２０１の車道側に、支持金具２０２を介して索条３が複数段に亘って設けられている。この索条３は、外径約１８ｍｍの断面略円形となされたものである。
【００２０】
この索条３に、包持部１３が被せられて包持部１３により索条３が包持されると共に、索条３を包持部１３が包持した状態で、索条３より下方の包持部１３と金具本体１２とがボルト・ナットである締結手段Ｔにより緊結されて、包持部１３と金具本体１２との間に索条３が挟持される。包持部１３により索条３が包持された状態で、金具本体１２が索条３の延設方向と略平行となされると共に、反射体取付部１１は索条３の延設方向、すなわち車道の延設方向と略垂直となされることで、反射体２の反射面が進行する車両に対して相対向するようになされる。反射体取付部１１は、金具本体１２に対して垂直なものに限定されず、車道の延設方向に対して反射体２の再帰反射性が高められるよう、所望の角度となるようにして設けてよい。ガードケーブル２０における索条３間の上下方向の間隔Ｋ２は、概ね１３０ｍｍ程度であるが、更に包持部１３が索条３を包持した状態で、上下方向における包持部１３下面と回り止め部１４上面との間隔Ｋ１が、前記間隔Ｋ２と略同一若しくは僅かながら大きくなされていることで、反射体取付用金具１の索条３の延設方向への回動が下段の索条３下面と回り止め部１４の上面とにより抑制されるようになされている。包持部１３の索条３の延設方向における長さは、特に限定されるものではないが、３０〜１００ｍｍ程度が好ましい。
【００２１】
再帰反射性を有する反射体２は、プリズム反射体に限定されるものではなく、多数のガラスビーズを配設して形成した反射シートや、樹脂成形体にガラスビーズ反射体を埋設して形成したガラスビーズ反射体等を用いることができる。また形状も台形形状に限定されるものではなく、適宜の形状のものを、粘接着剤、両面テープ、ビス、ボルト・ナット、リベット等適宜の取付方法を用いて反射体取付部１１に取り付けて用いることができる。
【００２２】
図２は、本発明に係わるガードケーブルへの反射体取付構造の、他の実施形態を示す説明図である。反射体取付用金具１は、反射体取付部１１と平板状の金具本体１２とを備えた第一の反射体取付用金具１Ａと、平板状の第二の反射体取付用金具１Ｂとからなり、金具本体１２と第二の反射体取付用金具１Ｂとにはそれぞれ対応する位置に上方及び下方に二箇所のボルト孔１２１及び１Ｂ１が設けられている。金具本体１２の上下端付近にＬ字状の回り止め部１４が設けられ、上下端付近の回り止め部１４間の間隔Ｋ３、及び第二の反射体取付用金具１Ｂの上下方向の長さＬ１は、ガードケーブル２０に複数段に亘って設けられた索条３の上下間の間隔Ｋ２より稍々大きくなされている。
【００２３】
反射体取付用金具１の索条３への取り付けにおいては、上下端付近の回り止め部１４の間に二段の索条３が位置されると共に、ボルト孔１２１及び１Ｂ１を用いてボルト・ナットである締結手段Ｔにより締結すると共に緊結することで、第一の反射体取付用金具１Ａの金具本体１２、第二の反射体取付用金具１Ｂとの間に索条３が挟持される。また回り止め部１４により、反射体取付用金具１の索条３の延設方向に対する回動がいずれの回動方向についても抑止され、索条３に対する反射体取付用金具１の取り付けは安定したものとなされる。ガードケーブル２０の索条３は、鋼管製のビーム等と異なり、振動に対して撓みを生じることで振動に由来する加速度を低減できるものであり、且つ複数段に亘る索条３に取り付けることで振動に対して過度に反射体取付用金具１が揺動する恐れが小さくなることと相俟って、反射体取付用金具１に掛かる振動に由来する加速度が低減されて長期に亘る使用においても反射体取付用金具１が破損する恐れは小さいものとなり得る。
【００２４】
図３は、図２に示した反射体取付用金具１の、変形の一例を示す説明図である。反射体２は、大きな面積の反射面が必要な状況であり、少なくとも反射体２が二体必要な場合において、反射体取付部１１は、上下に左右対称な台形形状の反射体取付部１１Ａ及び１１Ｂが設けられ、反射体取付部１１Ａ及び１１Ｂの間には索条３が挿入可能な溝部１１２が設けられている。溝部１１２を挟んで反射体取付部１１Ａ及び１１Ｂが左右対称な形状となされていることで、同一形状の反射体２を反射体取付部１１Ａ及び１１Ｂにスペースの無駄なく取り付けて再帰反射性を得るようにできる。
【００２５】
図４は、本発明に係わるガードケーブルへの反射体取付構造の、更に他の実施形態を示す説明図である。図１に示したものと同様に、ガードケーブル２０には複数段の索条３が設けられており、反射体取付部１１に反射体２が設けられた反射体取付用金具１が索条３に取り付けられるものであるが、その内の一段の索条３が、Ｕ字を形成する両先端にねじ山部４１が形成されたＵ字金具である把持金具４により把持されると共に、両のねじ山部４１が、反射体取付部１１と平面視略垂直に設けられた金具本体１２に挿通されてナットＮがねじ山部４１に緊結されることで、索条３に反射体取付用金具１が把持金具４を用いて取り付けられているものである。尚、把持金具４は索条３の延設方向に二体が設けられることで、索条３に対して回動することなく安定して取り付けられるようになされている。
【００２６】
図５は、図４に示したガードケーブルへの反射体取付構造の、変形例を示す説明図である。（ａ）においては、反射体取付部１１は索条３間の上下方向の間隔Ｋ２より大きくなされており、反射体取付部１１と同じ長さ分設けられている金具本体１２に対し、複数段の索条３を把持している複数の把持金具４が挿通されてそれぞれのねじ山部４１にナットＮが螺着されて緊結されている。台形形状の反射体２を三体、左右逆にして交互に取り付けることで、スペースの無駄なく大きな反射面を得られるようにしている。また（ｂ）に示す如く、上下に同じ方向を向けて反射体２を取り付けて、反射する領域を大きなものとしてもよい。更にまた（ｃ）に示す如く、台形形状の反射体２の、先細り部分を上下の索条３間から車道側に突出させて、車道からの反射体２の再帰反射性を高めるようにしてもよい。
【図面の簡単な説明】
【００２７】
【図１】本発明に係わるガードケーブルへの反射体取付構造の、実施の一形態を示す説明図である。
【図２】本発明に係わるガードケーブルへの反射体取付構造の、他の実施形態を示す説明図である。
【図３】本発明に係わるガードケーブルへの反射体取付構造の、更に他の実施形態を示す説明図である。
【図４】本発明に係わるガードケーブルへの反射体取付構造の、更に他の実施形態を示す説明図である。
【図５】図４における反射体取付構造の、変形例を示す説明図である。
【符号の説明】
【００２８】
１    反射体取付用金具
１１  反射体取付部
２    反射体
３    索条
４    把持金具
２０  ガードケーブル
【図１】
2008180022.tif 000003
【図２】
2008180022.tif 000004
【図３】
2008180022.tif 000005
【図４】
2008180022.tif 000006
【図５】
2008180022.tif 000007